(57)【要約】【課題】本発明は、停電や断水の発生時に、通常使用する水栓等からタンク内の湯水を容易に取出し、かつ、取出される湯水を使用し易い温度に保持することを目的とする。【解決手段】貯湯式給湯機は、貯湯タンク３の下部から湯水を取出す下部取水配管８と、給水配管６に設けられた加圧ポンプ接続口１２と、非常時に貯湯タンク３内の湯水を攪拌するタンク内攪拌機構１３とを備える。停電及び断水が発生した非常時には、自転車用空気入れ１００を加圧ポンプ接続口１２に接続して貯湯タンク３内に空気を導入し、この空気により貯湯タンク３内を加圧する。また、貯湯タンク３内に導入した空気により、タンク内攪拌機構１３のバッフル１４を揺動させ、貯湯タンク３内の湯水を攪拌する。これにより、非常時でも、使用し易い中温水を下部取水配管８から蛇口１１に供給することができる。【選択図】図４
2014005944.tif 000002
【特許請求の範囲】
【請求項１】
湯水を貯留する貯湯タンクと、
前記貯湯タンクの下部に接続され、前記貯湯タンク内に水を供給する給水配管と、
前記給水配管に設けられ、前記給水配管の内部に空気を導入可能な空気導入機器が接続される空気導入機器接続部と、
前記貯湯タンクの下部から湯水を取出して当該湯水を給湯対象に供給するための配管であって、前記貯湯タンクの下部に接続された下部取水配管と、
前記貯湯タンクの内部に設けられ、前記空気導入機器から前記給水配管内に導入された空気により作動して前記貯湯タンク内の湯水を攪拌するタンク内攪拌手段と、を備え、
前記空気導入機器の使用時には、当該空気導入機器により前記貯湯タンク内に導入される空気圧を利用して前記貯湯タンク内の湯水を前記下部取水配管から前記給湯対象に供給する構成とした貯湯式給湯機。
【請求項２】
湯水を貯留する貯湯タンクと、
前記貯湯タンクの下部に接続され、前記貯湯タンク内に水を供給する給水配管と、
前記給水配管に設けられ、前記給水配管の内部に空気を導入可能な空気導入機器と、
前記貯湯タンクの下部から湯水を取出して当該湯水を給湯対象に供給するための配管であって、前記貯湯タンクの下部に接続された下部取水配管と、
前記貯湯タンクの内部に設けられ、前記空気導入機器から前記給水配管内に導入された空気により作動して前記貯湯タンク内の湯水を攪拌するタンク内攪拌手段と、を備え、
前記空気導入機器の使用時には、当該空気導入機器により前記貯湯タンク内に導入される空気圧を利用して前記貯湯タンク内の湯水を前記下部取水配管から前記給湯対象に供給する構成とした貯湯式給湯機。
【請求項３】
前記タンク内攪拌手段は、
前記貯湯タンクの内部に揺動可能に取付けられ、前記貯湯タンクの下部に開口する前記給水配管の開口部を上側から覆う位置である低温水遮蔽位置を基準として、当該低温水遮蔽位置から上側に揺動可能となった揺動体と、
前記貯湯タンクの外部から第１，第２の切換位置に切換操作され、前記第１の切換位置では前記揺動体を前記低温水遮蔽位置に保持し、前記第２の切換位置では前記揺動体が前記給水配管の開口部から浮上する空気を受けて揺動するのを許す切換操作機構と、
を備えてなる請求項１または２に記載の貯湯式給湯機。
【請求項４】
前記貯湯タンクの上部から湯水を取出して当該湯水を前記給湯対象に供給するための配管であって、前記貯湯タンクの上部に接続された給湯配管と、
前記給湯配管及び前記下部取水配管が個別に接続された２個の流入ポートと前記給湯対象が接続された流出ポートとを有する電磁駆動式の混合弁と、を備え、
前記混合弁は、前記空気導入機器の使用時に操作されて当該混合弁を強制的に開弁させる開弁操作部を備えてなる請求項１乃至３のうち何れか１項に記載の貯湯式給湯機。
【請求項５】
前記空気導入機器は自転車用空気入れであり、
前記空気導入機器接続部には、前記自転車用空気入れを接続する構成としてなる請求項１に記載の貯湯式給湯機。
【発明の詳細な説明】
【技術分野】
【０００１】
本発明は、貯湯式給湯機に関し、特に、貯湯タンク内の湯水を攪拌することにより停電や断水に対応する機能を備えた貯湯式給湯機に関する。
【背景技術】
【０００２】
従来技術として、例えば特許文献１に記載されているように、停電や断水に対応する機能を備えた貯湯式給湯機が知られている。従来技術では、停電や断水が発生した場合に、以下の操作によりタンク内の湯水を取出すようにしている。この取出し操作では、まず、タンクに付設されたエアポンプを操作し、タンク内の内圧を高める。続いて、給湯機の三方切換弁を操作し、タンク内の湯水が給湯配管に回り込むのを防止しつつ、通常使用する蛇口等の水栓から湯水を流出させる。
【０００３】
また、他の従来技術として、例えば特許文献２に記載されているような給湯機も知られている。この従来技術では、災害発生や断水等の非常時に、タンクの上部側に貯留された高温水と、タンクの下部側に貯留された低温水とを電動ポンプにより攪拌し、タンクから中温水を取出すようにしている。この構成によれば、生活用水としてそのまま使用することができない高温水がタンクから直接取出されてしまうのを回避することができる。
【先行技術文献】
【特許文献】
【０００４】
【特許文献１】特開平１０−４７７７４号公報
【特許文献２】特開２００７−２５５７５３号公報
【発明の概要】
【発明が解決しようとする課題】
【０００５】
しかしながら、上記特許文献１の従来技術では、通常使用する水栓からタンク内の湯水を取出すことができるものの、タンク内の低温水を使い切った後には、生活用水としての使用が困難な高温水が取出されることになり、非常時の利便性に改善の余地がある。また、特許文献２の従来技術では、通常使用する水栓からタンク内の湯水を取出すことができない上に、地震等の災害により停電が発生すると、電動ポンプを作動させることができないため、特許文献１の従来技術と同様の問題が生じる。
【０００６】
本発明は、上述のような課題を解決するためになされたもので、災害等により停電や断水が発生した場合でも、通常使用する水栓等からタンク内の湯水を容易に取出すことができ、かつ、取出される湯水を使用し易い温度に保持することが可能な貯湯式給湯機を提供することを目的とする。
【課題を解決するための手段】
【０００７】
本発明に係る貯湯式給湯機は、湯水を貯留する貯湯タンクと、貯湯タンクの下部に接続され、貯湯タンク内に水を供給する給水配管と、給水配管に設けられ、給水配管の内部に空気を導入可能な空気導入機器が接続される空気導入機器接続部と、貯湯タンクの下部から湯水を取出して当該湯水を給湯対象に供給するための配管であって、貯湯タンクの下部に接続された下部取水配管と、貯湯タンクの内部に設けられ、空気導入機器から給水配管内に導入された空気により作動して貯湯タンク内の湯水を攪拌するタンク内攪拌手段と、を備え、空気導入機器の使用時には、当該空気導入機器により貯湯タンク内に導入される空気圧を利用して貯湯タンク内の湯水を下部取水配管から給湯対象に供給する構成としている。
【発明の効果】
【０００８】
本発明によれば、例えば非常時に停電及び断水が生じた場合でも、空気導入機器を給水配管の空気導入機器接続部に接続し、貯湯タンク内に空気を導入することができる。これにより、導入した空気を利用して、タンク内攪拌機構により貯湯タンク内の湯水を攪拌し、利用し易い中温水をタンク内に生成することができる。また、導入した空気により貯湯タンク内を加圧することで、通常使用する蛇口等の給湯対象に下部取水配管から中温水を供給し、給湯対象から中温水を容易に取出すことができる。
【図面の簡単な説明】
【０００９】
【図１】本発明の実施の形態１において、貯湯式給湯機の構成を示す全体構成図である。
【図２】貯湯タンクの構成を模式的に示す断面図である。
【図３】非常時に自転車用空気入れを用いて貯湯タンク内に空気を導入する状態を示す断面図である。
【図４】貯湯タンク内に導入した空気によりタンク内攪拌機構が作動する状態を示す断面図である。
【図５】本発明の実施の形態２において、貯湯式給湯機の構成を示す全体構成図である。
【図６】非常時に標準装備の空気ポンプを用いて貯湯タンク内に空気を導入する状態を示す断面図である。
【発明を実施するための形態】
【００１０】
実施の形態１．
以下、図１乃至図４を参照して、本発明の実施の形態１について説明する。なお、本明細書で使用する各図においては、共通する要素に同一の符号を付し、重複する説明を省略するものとする。図１は、本発明の実施の形態１において、貯湯式給湯機の構成を示す全体構成図である。本実施の形態による貯湯式給湯機は、タンクユニット１と、加熱手段であるヒートポンプユニット２と、後述のタンク内攪拌機構１３とを備えている。ヒートポンプユニット２は、例えば圧縮機、空気冷媒熱交換器、膨張弁、水冷媒熱交換器、冷媒循環配管等を備えており、これらの機器が環状に接続された冷媒サイクル（ヒートポンプサイクル）を構成している。ヒートポンプユニット２は、後述する貯湯タンク３の下部からヒートポンプ入口配管４に流出した低温水を加熱して高温水を生成し、この高温水をヒートポンプ出口配管５から貯湯タンク３の上部に流入させる。
【００１１】
タンクユニット１には、温水を貯留する貯湯タンク３が搭載されている。貯湯タンク３は、例えば円筒形状の密閉型タンクとして形成されている。また、貯湯タンク３には、ヒートポンプ入口配管４、ヒートポンプ出口配管５、給水配管６、給湯配管７及び下部取水配管８がそれぞれ個別に接続されている。個別に説明すると、まず、ヒートポンプ入口配管４は、貯湯タンク３の下部からヒートポンプユニット２に低温水を流入させるもので、ヒートポンプ入口配管４の一端側は、貯湯タンク３の下部に接続されている。また、ヒートポンプ入口配管４の他端側は、ヒートポンプユニット２の水冷媒熱交換器の２次側入口に接続されている。ヒートポンプ出口配管５は、ヒートポンプユニット２から高温水を流出させるもので、ヒートポンプ出口配管５の一端側は、前記水冷媒熱交換器の２次側出口に接続されている。また、ヒートポンプ出口配管５の他端側は、貯湯タンク３の上部に接続されている。給水配管６は、貯湯タンク３内に市水を供給するもので、貯湯タンク３の下部（底面部）に接続され、当該底面部に開口する開口部６Ａを有している。
【００１２】
一方、給湯配管７は、貯湯タンク３の上部から高温水を取出して当該高温水を蛇口１１等の給湯対象に供給するための配管であり、貯湯タンク３の上部に接続されている。また、下部取水配管８は、貯湯タンク３の下部から湯水を取出して当該湯水を蛇口１１に供給するための配管であり、貯湯タンク３の下部に接続されている。下部取水配管８は、給湯機に電力及び市水が供給される通常時において、高温水と混合するための低温水を供給する低温水供給配管として機能する。また、下部取水配管８は、災害等により停電及び断水が生じた非常時において、貯湯タンク３の下部から湯水（中温水）を取出すための非常用取水配管として機能する。
【００１３】
混合弁９は、給湯配管７に取出された高温水と、下部取水配管８に取出された低温水とを混合して蛇口１１に供給するための弁であり、例えば電磁駆動式の三方弁により構成されている。また、混合弁９は、少なくとも２個の流入ポートＡ，Ｂと、１個の流出ポートＣとを備えている。そして、一方の流入ポートＡは、給湯配管７を介して貯湯タンク３の上部に接続され、他方の流入ポートはＢ、下部取水配管８を介して貯湯タンク３の下部に接続されている。また、混合弁９の流出ポートＣは、蛇口配管１０を介して少なくとも１個の蛇口１１に接続されている。蛇口１１は、通常使用される水栓（給湯栓）であり、給湯対象の一例である。
【００１４】
また、混合弁９は、非常時に手動で操作されて混合弁９を強制的に開弁させる開弁操作部９Ａを備えている。開弁操作部９Ａを操作した場合には、停電中であっても、混合弁９の流入ポートＡ，Ｂが流出ポートＣと連通した状態に保持される。
【００１５】
次に、図２乃至図４を参照して、貯湯式給湯機に搭載された非常用のシステムについて説明する。図２は、貯湯タンクの構成を模式的に示す断面図である。また、図３は、非常時に自転車用空気入れを用いて貯湯タンク内に空気を導入する状態を示す断面図であり、図４は、貯湯タンク内に導入した空気によりタンク内攪拌機構が作動する状態を示す断面図である。まず、図２に示すように、給水配管６には、空気導入機器接続部としての加圧ポンプ接続口１２が設けられている。加圧ポンプ接続口１２は、非常時に後述の自転車用空気入れ１００が接続されるもので、当該空気入れ１００から吐出される空気を給水配管６の内部に導入するように構成されている。また、加圧ポンプ接続口１２は、通常時のように自転車用空気入れ１００が接続されていないときに閉じた状態に保持される。
【００１６】
タンク内攪拌機構１３は、貯湯タンク３の内部に設けられたタンク内攪拌手段を構成するもので、自転車用空気入れ１００等の空気導入機器から給水配管６内に導入された空気により作動し、貯湯タンク３内の湯水を攪拌するように構成されている。詳しく述べると、タンク内攪拌機構１３は、揺動体としてのバッフル１４と、切換操作機構としてのバッフル固定機構１６とを備えている。バッフル１４は、例えば断面形状が略Ｌ字状に屈曲した細長い板材により構成され、その長さ方向の一端側は、ヒンジ１５を介して貯湯タンク３の内部に揺動可能に取付けられている。また、バッフル１４の他端側は、ヒンジ１５を中心として、図２中に示す低温水遮蔽位置から上側に揺動可能となっている。ここで、低温水遮蔽位置とは、バッフル１４が給水配管６の開口部６Ａを上側から覆う位置、即ち、給水配管６の開口部６Ａから貯湯タンク３内に流入した低温水（市水）の流れがバッフル１４に衝突する位置として定義される。
【００１７】
バッフル固定機構１６は、給湯機の利用者等により貯湯タンク３の外部から第１，第２の切換位置に切換操作されるもので、バッフル１４の他端側に対して係合及び離脱が可能に構成されている。具体的な構成の一例を挙げると、バッフル固定機構１６は、ロッド部１６Ａ、操作部１６Ｂ及び係合部１６Ｃを備えている。ロッド部１６Ａは、一定の長さ範囲にわたって雄ねじが形成されたピン状の部材により構成され、貯湯タンク３の底面部に貫通して設けられたねじ孔３Ａに螺合されると共に、貯湯タンク３の内部及び外部に突出している。なお、ねじ孔３Ａは、図示しないシール機構により液密にシールされている。
【００１８】
操作部１６Ｂは、貯湯タンク３の外部でロッド部１６Ａに設けられ、手動等により回転操作されるものである。係合部１６Ｃは、貯湯タンク３の内部でロッド部１６Ａに設けられており、例えばロッド部１６Ａからバッフル１４に向けて径方向に突出した突起等により構成されている。そして、係合部１６Ｃは、ロッド部１６Ａ及び操作部１６Ｂと一体に回転することにより、バッフル１４に対して係合及び離脱する。
【００１９】
そして、バッフル固定機構１６は、給湯機の利用者等が操作部１６Ｂを回転させることにより、係合部１６Ｃがバッフル１４に係合する第１の切換位置（図２）と、係合部１６Ｃがバッフル１４から離脱する第２の切換位置（図３及び図４）とに切換えられる。これにより、バッフル固定機構１６は、第１の切換位置において、バッフル１４を低温水遮蔽位置に保持（固定）する。また、第２の切換位置では、バッフル１４が給水配管６の開口部６Ａから浮上する空気（気泡）Ｂを受けて低温水遮蔽位置から上側に揺動するのを許すように構成されている。
【００２０】
本実施の形態による貯湯式給湯機は上述の如き構成を有するもので、次に、貯湯式給湯機の作動について説明する。まず、停電や断水が生じていない通常時には、タンクユニット１に搭載された制御装置（図示せず）により、貯湯運転及び給湯運転が実行される。貯湯運転時には、図１中のヒートポンプユニット２が駆動されると共に、例えばヒートポンプ入口配管４に設けられた循環ポンプ（図示せず）が駆動される。これにより、貯湯タンク３の下部に滞留する低温水は、ヒートポンプ入口配管４を介してヒートポンプユニット２の水冷媒熱交換器に流入し、当該熱交換器内で高温の冷媒と熱交換することにより、高温水となる。この高温水は、水冷媒熱交換器からヒートポンプ出口配管５に流出し、貯湯タンク３に上部から貯湯される。また、貯湯タンク３の下部には、外部への給湯量に応じて給水配管６から市水が供給される。この結果、貯湯タンク３内の湯水には、上部側から下部側に向けて高温層、中温層、低温層が順次配置された温度成層が形成される。なお、上記貯湯運転は、例えば給湯機の利用者がリモコンを操作することにより実現される。
【００２１】
一方、給湯運転時には、利用者が蛇口１１を開くと、貯湯タンク３の上部に滞留する高温水が給湯配管７を介して混合弁９に供給される。この供給動作は、給水配管６から貯湯タンク３内に付加される市水の水圧により実行される。また、貯湯タンク３の下部に滞留する低温水は、前記水圧及び重力の作用により下部取水配管８を介して混合弁９に供給される。そして、これらの高温水及び低温水は、混合弁９により所望の温度となるように混合され、蛇口配管１０を介して蛇口１１に給湯される。なお、上記所望の温度は、例えば利用者のリモコン操作に応じて前記制御装置が混合弁９を制御することにより実現される。また、給湯運転時には、外部への給湯量に応じて給水配管６の開口部６Ａから貯湯タンク３の下部に市水が供給される。
【００２２】
また、給湯運転時を含む通常時には、図２に示すように、バッフル固定機構１６が第１の切換位置に保持され、バッフル１４は、給水配管６の開口部６Ａを上側から覆う低温水遮蔽位置に保持されている。このため、給水配管６の開口部６Ａから貯湯タンク３の下部に市水が流入すると、この市水の流れは、バッフル１４と衝突して水平方向に拡散され、バッフル１４よりも上側に位置する高温層や中温層には到達しない。これにより、給湯運転時には、貯湯タンク３内に流入した市水が中温層や高温層に到達して、これらの層を攪拌するのをバッフル１４により防止することができる。従って、貯湯タンク３内の温度成層を安定的に保持することができる。
【００２３】
次に、非常時における貯湯式給湯機の動作について説明する。地震等の災害により停電及び断水が発生した非常時には、貯湯タンク３に対する市水及びその水圧の供給が停止されるので、通常使用する蛇口１１を開いたとしても、貯湯タンク３内の湯水を給湯配管７から取出すことができなくなる。この状態では、貯湯タンク３内の湯水を重力により下部取水配管８から流出させることは可能であるが、例えば蛇口１１のうち貯湯タンク３よりも高い位置にある蛇口には、下部取水配管８から湯水を供給することができない。
【００２４】
この場合には、図３に示すように、電源を必要としない自転車用空気入れ１００を給水配管６の加圧ポンプ接続口１２に接続し、手動等により当該空気入れ１００を作動させる。自転車用空気入れ１００から吐出される空気は、給水配管６を介して貯湯タンク３内に導入され、当該タンク内の圧力を上昇させる。従って、自転車用空気入れ１００の使用時には、断水状態であっても、空気入れ１００から吐出される空気を利用して貯湯タンク３の内部を加圧状態に保持することができる。これにより、貯湯タンク３よりも高い位置にある蛇口１１に対しても、貯湯タンク３から下部取水配管８を介して湯水を供給することができる。なお、空気入れ１００を用いて下部取水配管８から湯水を取出すときには、混合弁９の開弁操作部９Ａを操作することで、混合弁９を強制的に開弁させておく。
【００２５】
また、自転車用空気入れ１００の使用時には、手動等によりバッフル固定機構１６を第２の切換位置へと回転操作し、バッフル１４の固定を解除する。バッフル１４は、固定が解除された状態でも、自重により低温水遮蔽位置に保持されるが、給水配管６の開口部６Ａから浮上する気泡Ｂがバッフル１４の下側にある程度溜まると、図４に示すように、気泡Ｂの浮力を受けて上側に揺動する。これにより、バッフル１４の下側に溜まっていた気泡Ｂは開放され、浮力を失ったバッフル１４は、自重により下側に揺動して低温水遮蔽位置に戻る。このように、バッフル１４は、貯湯タンク３内に導入される空気によって上下の揺動を繰返すので、貯湯タンク３内の湯水を攪拌して温度成層を消失させ、当該タンク内の湯温を上下方向において均等化することができる。なお、停電や断水が復旧した場合には、バッフル固定機構１６を非常時と逆向きに回転させて第１の切換位置に戻すことにより、バッフル１４を低温水遮蔽位置に固定する。
【００２６】
以上詳述した通り、本実施の形態によれば、非常時に停電及び断水が生じた場合でも、電源を必要としない自転車用空気入れ１００を使用するだけで、タンク内攪拌機構１３により貯湯タンク３内の湯水を自動的に攪拌し、利用し易い中温水をタンク内のほぼ全体に生成することができる。そして、自転車用空気入れ１００により貯湯タンク３内を加圧することで、通常使用する殆どの蛇口１１に対して下部取水配管８から中温水を供給し、蛇口１１から中温水を容易に取出すことができる。従って、災害等が生じた場合に、電源及び水道水圧を必要とせずに、貯湯タンク３内の加圧、攪拌及び中温水の取出しを実行することができ、給湯機の利便性を向上させることができる。
【００２７】
特に、本実施の形態では、身近で入手し易く、かつ、運搬が容易な自転車用空気入れ１００を空気導入機器として利用することができる。即ち、通常時に使用する一般的な空気入れ１００と、非常用の空気導入機器とを兼用することができる。また、空気入れ１００を所有していない場合でも、近所等から容易に借りてくることができる。従って、災害時の利便性を大きく向上させることができる。
【００２８】
また、本実施の形態では、通常時にバッフル１４を利用して貯湯タンク３内の温度成層を安定的に保持することができ、非常時には、バッフル１４によりタンク内の湯水を攪拌することができる。従って、通常時と非常時とでバッフル１４に異なる機能をもたせることができ、給湯機の部品点数を削減して構造を簡略化しつつ、その性能を向上させることができる。また、本実施の形態では、通常時に下部取水配管８から混合用の低温水を供給し、非常時には、下部取水配管８から貯湯タンク３内の湯水を取出す構成としている。従って、下部取水配管８により通常時の低温水供給配管と非常用取水配管とを兼用することができ、配管の部品点数を削減して配管構造を簡略化することができる。しかも、混合弁９に開弁操作部９Ａを設けることにより、停電時であっても、混合弁９を強制的に開弁させ、下部取水配管８を非常用取水配管として利用することができる。
【００２９】
実施の形態２．
次に、図５及び図６を参照して、本発明の実施の形態２について説明する。図５は、本発明の実施の形態２において、貯湯式給湯機の構成を示す全体構成図であり、図６は、非常時に標準装備の空気ポンプを用いて貯湯タンク内に空気を導入する状態を示す断面図である。これらの図に示すように、本実施の形態による貯湯式給湯機は、前記実施の形態１とほぼ同様の構成を有するものの、タンクユニット１′には、非常用の空気ポンプ２００が標準装備として予め搭載されている。空気ポンプ２００は、自転車用空気入れ１００に代えて用いられる空気導入機器であり、給水配管６の加圧ポンプ接続口１２に常時接続されている。そして、非常時には、手動等により空気ポンプ２００を作動させ、給水配管６の内部に空気を導入する。
【００３０】
このように構成される本実施の形態でも、前記実施の形態１とほぼ同様の作用効果を得ることができる。そして、特に本実施の形態によれば、非常時には、自転車用空気入れ１００を所有しない利用者等でも、給湯機に予め搭載されている空気ポンプ２００を使用して貯湯タンク３内の加圧、攪拌及び中温水の取出しを速やかに実行することができ、利便性をより向上させることができる。
【００３１】
なお、前記実施の形態１，２では、空気導入機器として、自転車用空気入れ１００や空気ポンプ２００を例示した。しかし、本発明はこれに限らず、商用電源を必要せずに空気を圧送することが可能な各種の機器を空気導入機器として採用することができる。また、本発明において、空気導入機器は、必ずしも手動で作動しなくてもよい。即ち、非常用のバックアップ電源（バッテリ等）により作動する電動ポンプや、燃料により作動する機械式のポンプ等を空気導入機器として採用してもよい。
【００３２】
また、実施の形態１，２では、下部取水配管８により通常時の低温水供給配管と非常用取水配管とを兼用する構成とした。しかし、本発明はこれに限らず、非常用取水配管（下部取水配管８）と低温水供給配管とを別個の配管により構成してもよい。
【００３３】
さらに、実施の形態１，２では、貯湯式給湯機の一例として、ヒートポンプユニット２により貯湯タンク３内の湯水を加熱するヒートポンプ式給湯機を例に挙げて説明した。しかし、本発明はこれに限らず、ヒートポンプ以外の加熱手段により貯湯タンク３内の湯水を加熱する各種の貯湯式給湯機に適用することができる。
【符号の説明】
【００３４】
１，１′  タンクユニット
２  ヒートポンプユニット
３  貯湯タンク
３Ａ  ねじ孔
４  ヒートポンプ入口配管
５  ヒートポンプ出口配管
６  給水配管
６Ａ  開口部
７  給湯配管
８  下部取水配管
９  混合弁
９Ａ  開弁操作部
１０  蛇口配管
１１  蛇口（給湯対象）
１２  加圧ポンプ接続口（空気導入機器接続部）
１３  タンク内攪拌機構（タンク内攪拌手段）
１４  バッフル（揺動体）
１５  ヒンジ
１６  バッフル固定機構（切換操作機構）
１６Ａ  ロッド部
１６Ｂ  操作部
１６Ｃ  係合部
１００  自転車用空気入れ（空気導入機器）
２００  空気ポンプ（空気導入機器）
Ａ，Ｂ  流入ポート
Ｃ  流出ポート
【図１】
2014005944.tif 000003
【図２】
2014005944.tif 000004
【図３】
2014005944.tif 000005
【図４】
2014005944.tif 000006
【図５】
2014005944.tif 000007
【図６】
2014005944.tif 000008